(57)【要約】【課題】  換気用のダクトを室内機背面に設けた空気調和機の室内機において、据付時の冷媒管のまとめ作業を容易にし、通風抵抗が小さくて換気量が確保でき、且つ、冷房時に外気導入運転を行っても、換気ダクト内の結露水を適正に処理し、支障なく運転を継続できる空気調和機を提供する。【解決手段】  換気装置室側の横長収納室高さを配管室側横長収納室高さより大きくして、接続冷媒管の据付時の曲げ作業を容易にする。また、換気ダクトを空気調和機の背面を横断する部分で外気に向かって単調な下り勾配に傾斜して設置して、換気経路の長さを短くすると共に、横又は下配管の時に、換気ダクトの曲がり角度を従来よりも小さくできるので、通風抵抗を低減できる。また、換気ダクト中の結露水は下り勾配にしたがって、順次、壁孔に向かって流れ落ち、壁孔を通って、室外に排出される。【選択図】  図３
2005351555.tif 000002
【特許請求の範囲】
【請求項１】
熱交換器と室内送風機を収納し、前記室内送風機用のケーシングの背面に冷媒管を収納する横長収納室を設け、前記熱交換器の側方の一に換気装置室を、他の側方に配管室を備えた、換気機能を有する空気調和機の室内機において、換気装置室側の横長収納室の高さを配管室側の横長収納室の高さよりも高くし、かつ、換気ダクトを室内送風機の背面を横断する部分で外気に向かって下り勾配となるよう傾斜して設置することを特長とする空気調和機。
【請求項２】
前記換気ダクトの断面を、室内機の奥行方向寸法より室内機の高さ方向寸法が大きい形状にすることを特長とする請求項１記載の空気調和機。
【請求項３】
前記換気ダクトの室内機の底面に対する傾斜を配管室側で４０〜５０度とすることを特長とする請求項１又は請求項２記載の空気調和機。
【請求項４】
前記換気ダクトの断面形状を略円形とすることを特長とする請求項１記載の空気調和機。
【請求項５】
前記換気ダクトの内面に結露水の拡散促進処理を施したことを特長とする請求項１記載の空気調和機。
【請求項６】
前記換気ダクトを室内送風機の背面を横断する部分で外気に向かって下り勾配となるよう傾斜して設置可能にする係止部を備えていることを特長とする換気機能を有する空気調和機。
【発明の詳細な説明】
【技術分野】
【０００１】
本発明は換気装置を備えた空気調和機に係り、特に据付作業性の向上および換気風路の通風抵抗の低減と換気風路の結露水の処理に好適な空気調和機の室内機の構造に関するものである。
【背景技術】
【０００２】
従来この種空気調和機としては特許文献１に記載されているものがある。この特許文献１には、箱体内部に熱交換器と室内送風機を配置し、箱体の後壁の一部を室内送風機用ケーシングとなして、その下方スクロール壁の内面を吐出流の方向案内、背面の横長なスペースを室外機と結ぶ接続冷媒管およびドレンホースの収納室にした構造が示されている。
【０００３】
また、特許文献２には、室内機内に室外機から冷媒が送られて熱交換する室内熱交換器を配し、この熱交換器の両側に空間を設け、一方の空間に換気装置を収納してこの背面に換気ダクトを引き出し、他方の空間から接続冷媒管を室内機の背面に引き出し、据え付けられる壁に開けられた室外に通じる壁孔の位置に応じて、いずれか一方の配管を、室内機背面下部に水平に設けられた横長の収納室に収納するものが記載されている。
【０００４】
この収納室に換気ダクトを横引きする際、換気装置から背面に引出した換気ダクトはすぐに直角に折れ曲がるため、この折れ曲がり部に接続部材を設けると共に、室内機背面の収納室内を水平に横引きし、横引きから壁孔に向かう所では半円形の接続部材を使用している。
【０００５】
また、特許文献３には、室内機の一端に換気装置を配置し、室内機背面下部の水平な収納室に両端部に開口部を設けた換気風路を水平に設置し、室内機の他端側から室外に通じる換気ダクトを配管する場合に、換気装置とこの換気風路、及び換気風路の他端と室外に通じる換気ダクトとを接続具であるエルボにて接続することが記載されている。また、冷媒配管はこの換気風路と設置される壁との間に配管するというものである。
【０００６】
【特許文献１】特開平９−２４３１０８号公報
【特許文献２】特開２０００−２７４７２７号公報
【特許文献３】特開２００３−１８５１７９号公報
【発明の開示】
【発明が解決しようとする課題】
【０００７】
しかしながら、特許文献１においては、接続冷媒管の収納室の広さに関しての幅方向の構造に言及されておらず、特に、接続冷媒管を室内機から室外に導出させるための曲げ領域部に対する記載がされていない。かかる室内機を据付ける時は、室内熱交換器に接続されている冷媒出入り用の補助冷媒管の長さが、室内機の横幅寸法より短いものであるため、配管収納室を横引きする場合には、導出用の接続冷媒管にあらかじめ目測と手作業で曲げ部を作る。
【０００８】
その後、室内機の引掛部を壁に固定した据付板に引掛け、室内機の底面を壁から離す方向に室内機を傾けて開き、顔が上向きのやりにくい姿勢で前記補助冷媒管と接続冷媒管を横長収納室の途中で接続し、断熱処理を済ませた後に横長収納室に押し付けなじませて終了する。
【０００９】
しかし、導出用の接続冷媒管は行きと戻りの２本の管が８の字状の断熱体の中に収納されたペア管であるために曲げの剛性が大であるのに加えて、曲げ作業が人手に頼る作業であるために所定の曲げ精度を得ることが困難であり、このため、狭い横長収納室に接続冷媒管をなじませて収納する作業は、手探り状態での作業であることも加わって大変困難な作業となり、短時間で作業を終らせることは難しい。
【００１０】
更に加えて、換気用のダクトの接続作業が追加される換気機能付空気調和機の室内機においては、接続冷媒管の収納室が換気ダクトによって狭くなるので更に困難な作業になり、早急な解決が望まれている。また、接続冷媒管をうまく収納室になじませないと断熱材の反発力によって室内機が壁面に平行に据付できないという問題も生ずる。
【００１１】
これに対し、他方に位置する補助冷媒管においては、補助冷媒管は、専用機により曲げ成形されており、縦長収納室、横長収納室に沿ってよく収納させられるものなので、横長収納室の広さは前記曲げ部側にくらべて少なくて良い。また、換気ダクトは室内機の背面の狭いスペースを通すため、できるだけ奥行きを小さくする必要が有り、必然的に小さいダクトとなって通風抵抗が増し、充分な換気量を確保できないという問題がある。
【００１２】
更にまた、室内を冷房している時に外気を導入する換気操作を行うと、室内の冷房雰囲気で冷やされた換気ダクトの内部に室外空気が流れるため、換気ダクトの内表面に結露を生ずる場合がある。結露の量が少ないうちは何の支障もなく冷房、換気(外気導入)の運転を継続できるが、長時間の運転で結露の量が多くなると、滞留した結露水がダクト内の小さな堰や凸部を乗り越えたり、滞留した結露水の表面が導入外気によって波立ったり、又はダクトの天面や側面に結露した結露水が落下若しくは又は流下したりする。
【００１３】
この時、換気ダクトに対して、結露水の処理についてなんの考慮もしていないため、その一部が小水滴となって導入外気流に乗って導入外気と共に室内に吹き出し、導入外気の吹出し口の周囲あるいはその下方に位置する床面等室内を濡らしてしまうと言う問題が生ずる。特許文献２、特許文献３にはこれらのことについての言及も考慮も記載されていない。
【００１４】
本発明の目的は、換気用のダクトを室内機背面に形成した空気調和機において、据付時の接続冷媒管のまとめ作業を容易にし、冷媒管の収納性を上げると共に、通風抵抗が小さくて換気量が確保でき、冷房時に外気導入運転を行っても、換気ダクト内の結露水を適正に処理し、支障なく運転を継続できる空気調和機を提供することにある。
【課題を解決するための手段】
【００１５】
上記目的を達成するため、請求項１の発明は、熱交換器と室内送風機を前後に収納し、前記室内送風機用のケーシングの背面に冷媒管を収納する横長収納室を設け、前記熱交換器の側方の一に換気装置室を、他の側方に配管室を備えた換気機能を有する空気調和機の室内機において、換気装置室側の横長収納室の高さを配管室側の横長収納室の高さよりも高くし、かつ、換気ダクトを室内送風機の背面を横断する部分で外気に向かって下り勾配となるよう傾斜して設置するものである。
【００１６】
請求項２の発明は、前記換気ダクトの断面を、室内機の奥行方向寸法より室内機の高さ方向寸法が大きい形状にするものである。
【００１７】
請求項３の発明は、前記換気ダクトの室内機の底面に対する傾斜を配管室側で４０〜５０度とするものである。
【００１８】
請求項４の発明は、前記換気ダクトの断面形状を略円形とするものである。
【００１９】
請求項５の発明は、前記換気ダクトの内面に結露水の拡散促進処理を施すものである。
【００２０】
請求項６の発明は、前記換気ダクトを室内送風機の背面を横断する部分で外気に向かって下り勾配となるよう傾斜して設置可能にする係止部を備えるものである。
【発明の効果】
【００２１】
本発明の請求項１によれば、熱交換器と室内送風機を前後に収納し、前記室内送風機用のケーシングの背面に冷媒管を収納する横長収納室を設け、前記熱交換器の側方の一に換気装置室を、他の側方に配管室を備えた換気機能を有する空気調和機の室内機において、換気装置室側の横長収納室の高さを配管室側の横長収納室の高さよりも高くし、かつ、換気ダクトを室内送風機の背面を横断する部分で外気に向かって下り勾配となるよう傾斜して設置する。
【００２２】
これにより、室内機の横長収納室から接続冷媒管を曲げて室外に導出する曲げ部に対応する部分の横長収納室の高さを高くしてあるので、接続冷媒管の曲げの精度は高く要求されず、配管収納室に合わせた据付けのまとめ作業が容易となり、室内機のコンパクト化にも貢献させることができる。従来技術の様に換気ダクトを換気送風機の接続口から一端下方に曲げ、換気ダクトの収納部まで下げてから水平な収納部を横方向に壁孔部まで横引きするのに較べて、換気経路の長さが短くなりその分、通風抵抗を低減できる。
【００２３】
また、外気に通ずる壁孔が室内機の背面から外れて室内機の横方向又は下方向に有る場合は換気ダクトを室内機側面又は底面の配管孔から室内機外に引き出すが、この時の、換気ダクトの曲がり角度を従来技術の９０度よりも小さい角度にできるのでその分、通風抵抗を低減できる。
【００２４】
また、冷房雰囲気中の室内に外気を導入する運転を行っても、換気ダクト中の結露水は下り勾配にしたがって、順次、壁孔に向かって流れ落ち、壁孔を通って、室外に排出され、導入外気によって室内に持ち込まれることが無いので、室内機の空気吹出口周囲を濡らす恐れがなくなる。
【００２５】
また、請求項２の発明によれば、前記換気ダクトの断面を、室内機の奥行方向寸法より室内機の高さ方向寸法が大きい形状にすることにより、換気ダクトが室内送風機後方のケーシングの背面側に設けられても、ベースの後壁より後に出ない様に奥行寸法を制限し、かつ、所要の通風面積を得ることができ、室内機の全体の奥行を小さく抑えることができる。
【００２６】
また、請求項３の発明によれば、前記換気ダクトの室内機の底面に対する傾斜を配管室側で４０〜５０度とすることにより、壁孔が室内機の横に有る場合と、室内機の下に有る場合について、第２アダプターを裏返して取付けることで、両方向のダクトの接続に対応でき、部品の共用化を図れ、コストダウンに有効になる。
【００２７】
また、請求項４の発明によれば、前記換気ダクトの断面形状を略円形とすることにより、接続は、リング状のバネバンドで押さえるだけになり、取付性が良く、また、円形断面のダクトを使用できるので入手し易くなる。
【００２８】
また、請求項５の発明によれば、前記換気ダクトの内面に結露水の拡散促進処理を施すことにより、結露水の拡散が促進され、結露水が大きな水滴に成長することが無く、外気導入時の通風によっても、結露水が導入外気に取り込まれることがなくなり、室内機の空気吹出口周囲を濡らさなくなる。
【００２９】
また、結露水の拡散を促進することによって、結露水が滞留し無くなり、流下が促進され、結露水がスムーズに室外に排出される。
【００３０】
また、請求項６の発明によれば、前記換気ダクトを室内送風機の背面を横断する部分で外気に向かって下り勾配となるよう傾斜して設置可能にする係止部を備えることにより、請求項１の発明と同様の効果を得ることができると共に、換気機能を必要とする使用者のみに限定して、換気ダクトを供給するようにでき、資源の有効利用がはかれる。
【発明を実施するための最良の形態】
【００３１】
以下、本発明による空気調和機の実施形態を図を用いて説明する。
【００３２】
本発明の実施形態の空気調和機について図１〜図１０を参照しながら説明する。図１は本発明の実施形態の空気調和機における室内機の化粧カバーを取り外した状態の正面図、図２は図１に化粧カバーを装着した状態のＡ−Ａ断面図、図３は化粧カバーを装着した状態の背面斜視図、図４は換気装置の通風ダクト接続形態を示す拡大斜視図である。
【００３３】
図５は換気装置用風路に用いる第２アダプターの外観斜視図、図６は換気装置用風路に用いる第３アダプターの外観斜視図、図７は第２アダプターの共用化を説明する背面斜視図、図８は別体の換気ダクトをベースに設置した状態の室内機の断面図、図９は円形ダクトを使用した室内機の背面斜視図である。
【００３４】
図１、図２および図３に示すように、空気調和機は室内機1と室外機（図示せず）を接続冷媒管２で結び室内の熱交換器３等とともに密閉冷凍サイクルを構成している。室内機1は壁面に設置され、室内機1からはドレンホース４、換気用の通風ダクト５が前記接続冷媒管２とともに同一の壁孔を通して室外に引き出されて使われるセパレート形の空気調和機である。運転操作はリモコン６（遠隔操作）により行われる。
【００３５】
熱交換室１０内の熱交換器３と接続された補助冷媒管１０ａは、配管室１１から縦長収納室１４ｂに導き出され、その下方の横長収納室１４ａに向かう。この補助冷媒管１０ａは横長収納室１４ａに収納されて出荷され、図３中に２点鎖線線で示すように、別途用意されて室外機に連結される接続冷媒管２と横長収納室１４ａ内で接続され、室外機とともに密閉冷凍サイクルを構成する。
【００３６】
縦長収納室１４ｂはその下方の横長収納室１４ａに連続しており、この横長収納室１４ａが補助冷媒管１０ａ、接続冷媒管２を横引配管する時の配管の収納室および接続冷媒管２を曲げるための空間となっている。このため、換気装置室１２側の横長収納室１４ａを広くすることは接続冷媒管の曲げ作業時の管潰れ防止などの効果がある。
【００３７】
室内機１は全体形状が横長であり、箱体は前面、側面および上下面を包囲する樹脂製の化粧カバー７と背面を閉鎖する樹脂製のベース８を備えている。幅方向の中央には熱交換器３と室内送風機９を上下に並置した熱交換室１０が配置され、この熱交換器３の両端に右仕切板８ｃ及び左仕切板８ｂを境にして空間を有し、一方の空間を熱交換器３のベント管や除湿運転用の絞り装置等を収納する配管室１１とし、他方の空間を換気装置２３を収納する換気装置室１２としている。
【００３８】
化粧カバー７には前面に室内空気の熱交換吸込口７ｓａ、上面に熱交換吸込口７ｓｂを備え、下方には熱交換吐出口７ｄが設けられている。また、換気装置室１２に対向する箱体前面には換気の空気の室内空気取入口１２ｓが設けられ、箱体横幅の中央に換気の空気の室内空気吹出口１２ｄが設けられている。
【００３９】
図２において、熱交換室１０に対向する前面位置に化粧カバー７を覆うように前面パネル１３が設けられている。この前面パネル１３は、室内空気吹出口１２ｄの下側を下端（熱交換吐出口７ｄの上端）とし、前面パネル１３を回動する回転の支点１３ａ付近を上端としている。この前面パネルを回動させて閉めたときには、熱交換吸込口７ｓａを構成するとともに、後述する室内制御装置２６を覆う。また、換気用の室内空気吹出口１２ｄが前面パネル１３によって塞がれないような形状となっている。
【００４０】
ベース８には後壁８ａと、熱交換室１０との循環空気の風路を区画する左右仕切板８ｂ、８ｃが一体に形成されており、機器類もこのベース８に搭載されている。また、図２に示すように、ベース８の後壁８ａ下方は熱交換後の空気を斜め下前方に案内するために滑らかに前面側に突き出されたケーシング８ｄを形成しており、その強度を上げるため突出部８ｅの最下端が背面側に屈曲して形成されている。
【００４１】
ベース８の、上記前方突き出し位置に相当する背面は、後から見れば横長のへこみ部が形成されており、このへこみ部を、接続冷媒管２、ドレンホース４等を横引き、あるいは製品出荷時に補助冷媒管１０ａ、ドレンホース４等を収納する横長収納室１４ａとしている。ベース８背面には上記横長収納室１４ａのほかに、換気ダクト１５、換気装置２３の通風開口部１６、補助冷媒管１０ａの縦長収納室１４ｂ、背面樋１７が配置されている。
【００４２】
ベース８の背面上部には、室内機１を壁に固定した据付板(図示せず)に引掛る引掛部８ｊが設けられ、室内機１を壁に据付できるようになっている。
【００４３】
換気ダクト１５は換気風路の一部を形成するもので、図３の左側から冷媒配管２と共に室外に出す場合は必要であるが、図３の右側から室外に出す場合は不要となる。また、図２に示すようにこの換気ダクト１５は、一つの側面と上面、下面をベース８と一体に射出成形されており、これに後蓋１５ａをすることでダクトとして機能する。
【００４４】
この換気ダクト１５は図３の右方向に行くに従って上下方向の位置が上がるように設けられ、ベース８の底面と換気ダクト１５の底面を上下面とする横長収納室１４ａの高さが、換気装置室１２側に行くほど高くなっている。このため、後述するように換気装置室１２側の室内機１背面に対向する位置に壁孔があり、接続冷媒管２を室内機１背面で横引きし、換気装置室１２側の室内機１背面で曲げる時は、この横長収納室１４ａの高さが高くなって広くなった分、配管の収納作業が容易になる。
【００４５】
ここでは、壁孔が配管室１１側に有る場合について述べる。この場合、出荷時に、横長収納室１４ａに収納されている補助冷媒管１０ａを引き起こして壁孔の開いている方向に応じて後方、横方向、あるいは下方向に向ける作業が必要になる。この作業は室内機１を壁に掛ける前に、床又は台などの上に安定な状態に置いて、楽な作業姿勢で行なえ、かつ、補助冷媒管１０ａはその製作時に正しい寸法に曲げ成形されているので、補助冷媒管１０ａを縦長収納室１４ｂ又は横長収納室１４ａに容易になじませることができる。
【００４６】
また、外気導入運転時に内部に結露した結露水が、室外に自然流下により排出できるようにしてある。また換気ダクト１５は室内送風機９後方のケーシング８ｄの背面側に設けられることから、室内機１の全体の奥行を小さく抑えるためベース８の後壁８ａより後に出ない様に奥行寸法を制限しながら所要の通風面積を得るため、高さ寸法を大きくした縦長の断面を有している。
【００４７】
このようにすることにより接続冷媒管２を横引き配管しての据付作業が容易になり、換気ダクト１５を室内機１の背面に設置しても室内機１の奥行寸法を小さく抑えることができる。この換気ダクト１５の横幅寸法は熱交換室１０の横幅とほぼ同じ寸法とし、且つ熱交換室１０にほぼ対応する背面にしてある。
【００４８】
このため、換気ダクト１５の左右の室内機１内には幅方向のスペースを残し、この幅方向のスペースは、上述のように接続冷媒管２の曲げ部の収納場所として利用できると共に、換気ダクト１５と通風ダクト５との接続、換気装置２３と換気ダクト１５との接続の場所、としても若しくは接続冷媒管２の曲げ部の収納場所として利用できる。
【００４９】
換気用の通風開口部１６は、換気装置室１２の背面に位置し、換気ダクト１５の一端の近傍であって、換気ダクト１５から幅方向外側で、傾斜して設けられた換気ダクト１５の延長上に設けられている。この換気用通風開口部１６と換気ダクト１５とは直接接続されず、第１アダプター１９によって両者が連通するように構成されている。この第１アダプター１９は背面に突出することなくコンパクトに作られている。
【００５０】
このように、傾斜して設けられた換気ダクト１５と換気用通風開口部１６が一直線上に配置されるので換気用通風開口部１６は換気ダクト１５よりも高い位置になり、換気ダクト１５内に結露水が生じても換気装置室１２側に流入することはない。
【００５１】
背面樋１７は、背面に露が生じた場合の水滴を受けるためのもので、室内機１の幅方向に横長に設けられ、一端が他端より低くなるよう傾斜させてある。
【００５２】
次に換気装置２３から通風ダクト５で室外に開口するまでのダクト引き回し構造について説明する。換気ダクト１５を使用するときは、図３、図４に示すように通風開口部１６と換気ダクト１５の一端の開口部とを第１アダプター１９でつなぎ、換気ダクト１５の他方端に第２アダプター２０を取り付け、傾斜して設けられた換気ダクト１５から延長した直線上にあけられた開口部２０ｂに通風ダクト５を挿入することで接続される。通風ダクト５の押さえはバネバンド２８等による。通風ダクト５は家屋の内壁と外壁にあけられた孔を通して室外に導き出される。
【００５３】
この時、通風ダクト５は室外の風雨が通風ダクト５を通して室内に入り込まない様に、適宜な遮風板を備え、室外に向かって先下がりに設置される。そして室外に出された端部が室外空気に開口される。これにより、フレキシブルダクトを使用した場合に生じ易い、横引き作業でのダクト潰れを回避できる。また通風開口部１６から通風ダクト５までの曲がりが直角曲がり二個所で済むので換気時の通風抵抗を下げることができる。
【００５４】
更に、通風開口部１６と通風ダクト５を接続する第２アダプタ２０の開口部２０ｂを室内機１の背面から見て直線で結んだことにより、換気風路の長さも最小となって、この面からも換気時の通風抵抗を下げることができる。
【００５５】
また、図３に示すように、換気ダクト１５および第２アダプター２０は、接続冷媒管２が横引き（二点鎖線に示すように図３の右側から室外に出す場合）されたとしても、換気ダクト１５は固定されており、この下部に横長収納室１４ａが設けられ、ここに接続冷媒管２を通すようにしてあるので、両者の重なりがなく、室内機の奥行き寸法を厚くすることなく両者を収納することが可能となっている。また、第１アダプター１９および第２アダプター２０は、ネジによりベース８に固定される。
【００５６】
次に室内機１の内部構成と併せ運転動作を説明する。室内送風機９は横長な貫流ファンであってその駆動用モータ２１は右仕切り８ｃの外側、すなわち配管室１１に配置されている。前側熱交換器３ａ、後側熱交換器３ｂは図２に示すように室内送風機９の吸込側となる前方および上方に略逆Ｖ字状にして左右仕切板８ｂ、８ｃ間で支えられている。
【００５７】
室内空気は室内送風機９を運転することにより熱交換吸込口７sａ、７sｂを通して吸い込まれ、熱交換器３と熱交換してから室内送風機９を通り、熱交換吐出口７ｄから室内に戻されて所定の冷房あるいは暖房が行われる。配管室１１には図１に示すように前記熱交換器３の補助冷媒管曲げ部１０ｂ、冷媒分配接続部１０ｃ、その他サイクル構成の機器類（図示せず）等が前記室内送風機９の駆動用モータ２１とともに収納されている。
【００５８】
露受皿２２ａ、２２ｂは図２に示すように熱交換器３の下端に敷かれ、冷房運転時の凝縮水を受け、背面樋１７からのドレンと共に集め、ドレンホース４により壁孔を通し室外に導かれる。
【００５９】
換気装置室１２には換気装置２３が設置され、換気送風機１８は室内空気取入口１２ｓから室内空気、または通風開口部１６から外気を吸込み、室内吹出ダクト２４を通って室内空気吹出口１２ｄから導入外気若しくは循環室内空気、または通風開口部１６から室内の排気空気を吹出す構成となっている。
【００６０】
また、換気送風機１８を挟んで吸込側と吐出側に通風方向を切替える風路切替扉１２ｅ、１２ｆが用いられて、背面通風開口部１６側の通風を可能にして給気用（外気を導入する）、あるいは排気用（室内空気を排出する）としたり、上記通風開口部１６を閉鎖して室内から吸い込み、室内に戻す循環などの３形態の流れを作り出せるものとなっている。
【００６１】
また、室内吹出ダクト２４の途中には除菌フィルター２５が挿入係止されており、除菌した空気を室内空気吹出口１２ｄから吹出すことができる。この除菌フィルター２５は前面パネル１３を開けば、ワンタッチで取付け取外しができ、メンテナンスも容易である。
【００６２】
次に、３形態の通風構成について、図１中に模式的に示した流線矢印を参照して説明する。第１形態は給気（外気導入）運転として白抜き矢印で示すように、ベース８背面の通風開口部１６を通して室外空気を取り込み、換気送風機１８、露受皿２２ａ前面に設けられた吹出ダクト２４を通して、室内機１の略中央に配置された室内空気吹出口１２ｄより室内に新鮮な空気を供給する。
【００６３】
第２形態は排気運転として黒塗り矢印で示すように、室内空気を室内空気取入口１２ｓから取り込み、換気送風機１８により、ベース背面の通風開口部１６に送ることで、室外に室内の空気を排気する。第３形態は循環運転として破線矢印で示すように、室内空気を室内空気取入口１２ｓから取り込み、換気送風機１８、吹出ダクト２４を通して、室内空気吹出口１２ｄよりサーキュレーションされた空気として再び室内に戻す。
【００６４】
背面の通風開口部１６（室外に通じる）は給気と排気の両用として使用され、室内の室内空気取入口１２ｓは吸い込み専用として使用され、室内空気吹出口１２ｄは吹き出し専用として使用されるものである。制御装置２６は図１、図２に示すように前面の露受皿２２ａの上部と吹出ダクト２４との間に設置され、リモコン６の操作指令に基づき所定の冷房運転、暖房運転、給排気の換気運転などの制御を行う。表示装置２７は制御装置２６よりも前方で、色別、点滅などの目視表示を含む運転状態を表示するものである。
【００６５】
今まで説明したように、この実施形態は壁孔が換気装置２３の位置と反対方向に離れている、すなわち配管室１１に略対向する壁位置に貫通孔が設けられている場合であり、換気ダクト１５を利用して（横引き）通風路を確保する必要がある。これを図３、図４を中心に用いて説明する。換気ダクト１５は、後側熱交換器３ｂの露受皿２２ｂの下部であって、室内送風機９の後のケーシング８ｄの背面に形成されている。
【００６６】
そしてその下部に接続冷媒管２及びドレンホース４が横引きされる際に収納される空間である横長収納室１４ａが設けられている。また、換気ダクト１５は熱交換室１０のほぼ幅範囲の横長に配置され、第１アダプター１９が換気装置２３の背面で、換気装置２３の通風開口部１６と前記換気ダクト１５間を結び両者を接続している。
【００６７】
換気ダクト１５の他方端、すなわち仕切板８ｃで区画された配管室１１の背面位置には、第２アダプター２０が取付けられ換気ダクト１５と接続されている。第２アダプター２０には、後方に向けた円形の開口部２０ｂが形成され、この円形の開口部２０ｂには、室外に導かれる通風ダクト５が接続されている。この部分の接続の固定は、前述の如く、開口部２０ｂの外周に通風ダクト５を挿入して、リング状のバネバンド２８で押さえることにより終了する。
【００６８】
本実施例においては、換気ダクト１５が室内機１のベース８と一体に形成されているため、換気ダクト１５の横引き作業が不要となっている。また、換気をするための通風路における曲げ部を第１アダプター１９、第２アダプタ−２０で定形化しているので、室内機１の据付け時の通風路の曲げ作業がほとんど無くなることである。このため、据え付け作業が簡単で確実になり、換気量を確保できる。
【００６９】
細部の技術形態としては、図３、図５に示すように、第２アダプター２０の開口部において、通風ダクト５に対向する開口部２０ｂの形状は円形となし、換気ダクト１５に対向する開口部２０ａの形状はコンパクトながら通風面積を確保し易い略矩形となしている。また、通風ダクト５に対向する開口部２０ｂは傾斜して設けられた換気ダクト１５の延長上に位置し、必然的に換気ダクト１５に対向する開口部よりも低い位置に形成されている。
【００７０】
また、通風ダクト５に対向する開口部２０ｂは、横長収納室１４ａの上方位置とし、下部に接続冷媒管２、ドレンホース４を横引きにする場合の空間を確保している。これにより、補助冷媒管１０ａにできるだけ近づけて壁孔を共有して通す作業性を良好にするほか、通風開口部１６から最小の曲がりで通風ダクト５に接続したので、通風抵抗が少なくなり換気量を確保することができる。
【００７１】
また、第１アダプター１９、換気ダクト１５、又は第２アダプター２０内に結露水が生じた場合も、この結露水はダクトの傾斜に従って流下し、順次通風ダクト５に達し、更に、室外に向かって先下がりに設置した通風ダクト５内を通って室外に排出でき、且つ開口部２０ｂを下方で奥に深みのある横長収納室１４ａに近づけて作業の奥行きスペースを確保し、円形化開口部と併せ通風ダクト５との接続作業を容易にできるものである。また、円形の通風ダクト５を使用できるので入手し易く取付け性も良い。
【００７２】
加えて、この第１アダプター１９、換気ダクト１５、第２アダプター２０の内面に化学的な親水化処理層を形成することで、結露水の処理がより確実になる。これは、結露水の拡散を促進することにより、結露水が大きな水滴に成長するのが妨げられ、外気導入時の通風によっても、結露水が導入外気に取り込まれることが無くなるためである。これにより、室内機１の空気吹出口１２ｄ周囲が濡れることが無くなる。
【００７３】
さらに、結露水の拡散を促進することによって、結露水が滞留することが無く、流下が促進され、結露水がスムーズに室外に排出される。結露水の拡散を促進する方法としては前記の親水化処理以外にも、ダクト内面にしぼ（甍）模様、梨地模様、ヘアライン模様等の微細な凹凸をつける方法、高低差の有る溝をダクト内面につける方法、又は布（不織布を含む）等の親水性材料をダクト内面に貼りつける方法でも同様の効果が有る。これらの方法はダクト内面の全面に施す必要は無く、水滴が成長し易い場所に限って施しても効果は同様である。
【００７４】
また、図３に示すように、補助冷媒管１０ａは配管室１１の背面から背面上の最側方にて縦に引き出され、縦長収納室１４ｂの最下端から後方に折り曲げて壁孔（図示せず）に向けている。図４に示すように、この場合第２アダプター２０の室内機１の幅方向における位置は、補助冷媒管１０ａが、ベース８内壁と通風ダクト５との間に位置することができる位置としている。
【００７５】
また、この間隔は、断熱材で覆われた補助冷媒管１０ａの最大太さも考慮して決定される。このため両者の重なりが無くなり、縦長，横長収納室１４ｂ、１４ａの奥行きが充分有るので、第２アダプター２０の後方への突出が少なくなり、室内機の全体厚みの縮減にも貢献できる。また、このコーナーにおける通風ダクト５の接続も容易であり、補助冷媒管１０ａの曲げ作業も前述したように支障なく、行うことができる。
【００７６】
これまでの説明は、壁孔が換気装置２３の位置と反対方向（配管室１１側）に離れていて、壁孔が配管室１１に略対向する壁位置に設けられている場合であるが、壁孔が室内機１の背面から外れて、室内機１の横方向にある場合には、円形開口部を横方向に向けた図５の（Ｒｂ）に示す横向きの第２アダプター２０が用意されており、これを使用して通風ダクト５に接続することができる。
【００７７】
すなわち、室内機１からの引き出しは本体にあらかじめ施されたミシン目に沿って側面切抜部２９ａを切外して開口部を作り引き出される。この場合、通風開口部１６から第２アダプター２０の通風ダクト５に対向する開口部２０ｂ迄の換気風路の曲がりは、直角曲げ１ヶ所と第２アダプター２０内の曲がりとなる。
【００７８】
第２アダプター２０内では、浅い曲げ角度で２つの曲げが連続する流路となり、かつ、換気ダクト１５の傾斜が緩やかなので、通風ダクト５から換気ダクト１５への方向変化が小さく、この部の抵抗は直角曲げに較べて小さくできる。このため、従来技術のように換気ダクト１５を傾斜させないで通風開口部１６から一端、下方に曲げ、横長収納室１４ａ内を水平に横引する場合の、直角曲げ２回に較べて曲げ抵抗が減少すると共に換気風路の長さも短くなるので、通風抵抗を小さくできる。
【００７９】
また、壁孔が室内機１の背面から外れて、室内機１の下方向にある場合には、円形開口部２０ｂを下方向に向けた図５の（Ｒｃ）に示す下向きの第２アダプター２０が用意されており、これを使用して通風ダクト５に接続することができる。室内機１からの引き出しは同様に本体側面にあらかじめ施されたミシン目に沿って下面切抜部２９ｂを切外して開口部を作り引き出される。
【００８０】
この場合、通風開口部１６から第２アダプター２０の通風ダクト５に対向する開口部２０ｂ迄の換気風路の曲がりは、直角曲げ１ヶ所と第２アダプター２０内の直角より小さい曲がり一ヶ所となる。このため、従来技術のように換気ダクト１５を傾斜させないで通風開口部１６から一端下方に曲げ、横長収納室１４ａ内を水平に横引する場合の、直角曲げ３回に較べて曲げ抵抗が減少すると共に換気風路の長さも短くなるので、通風抵抗を小さくできる。
【００８１】
前記の構成では、図５（Ｒｂ）に示す横接続用第２アダプター２０と図５（Ｒｃ）に示す下接続用第２アダプター２０は別々の部品で共用はできないが、換気ダクト１５の傾斜を配管室１１側で下向の４５度にすることにより、図７に示すように壁孔が室内機１の横に有る場合と、壁孔が室内機１の下に有る場合について、第２アダプター２０を裏返して取付けることで、両方向のダクトの接続に対応でき、部品の共用化を図れ、コストダウンに有効である。
【００８２】
この場合、換気ダクト１５の全長に亘って傾斜を４５度にする必要は無く、通風開口部１６から換気ダクト１５の途中までは所要の角度で換気ダクト１５を傾斜させ、残余の部分の換気ダクト１５を略４５度の傾斜にすれば良い。この傾斜は正確に４５度である必要はなく、室内機１の据付時に通風ダクト５の接続に大きな支障が無ければ良く、経験上、±５度の範囲であれば十分容認できるので、この傾斜の角度は水平から４０〜５０度の範囲であれば良い。
【００８３】
次に、換気装置２３の近くに壁孔があって横引き（換気ダクト１５）を必要としないときで壁孔が直後方にある場合には、円形開口部３０ｂを後方に向けた図６の（Ｌａ）に示す第３アダプター３０が用意されており、これを換気装置２３の通風開口部１６に取付け、これを使用して通風ダクト５に接続することができる。この場合、接続冷媒管２は図３に二点鎖線で示すように横引き終了部から後方の壁孔（図示省略）に向かって９０度曲げられている。
【００８４】
この曲げ部２ａは前述したように据付け作業者により目測で補助冷媒管１０ａとの接続前に、おおよその長さで曲げられ、接続後に横長収納室１４ａの収納スペースに合わせて、仕上げの修正作業が行なわれ、横長収納室１４ａによくなじませ、最外方から押さえ具３２により固定して収納させてある。ここで横長収納室１４ａの換気装置室１２側の高さを換気ダクト１５を傾斜させて高くしてあるので接続冷媒管２を横長収納室１４ａになじませる作業を容易に行うことができる。
【００８５】
以上のように、出荷時の補助冷媒管１０ａの処理と据付作業により横長収納室１４ａとしての必要空間が横幅方向で異なるのを利用して、上記のように、幅方向全体に無駄のない必要最小限の高さ寸法Ｈａ、Ｈｂを確保してあるので、導出のための接続冷媒管２の曲げ作業および収納まとめ作業が容易に行える効果がある。
【００８６】
さらに、壁孔が室内機１の横方向にある場合には、円形開口部３０ｂを横に向けた図６の（Ｌｂ）に示す横向きの第３アダプター３０が用意されており、これを換気装置２３の通風開口部１６に取付け、これを使用して通風ダクト５に接続することができる。室内機１からの引き出しは本体側面にあらかじめあらかじめ施されたミシン目に沿って側面切抜部２９ｃを切外して開口部を作り引き出される。
【００８７】
さらにまた、壁孔が下方向にある場合には、円形開口部３０ｂを下方向に向けた図６の（Ｌｃ）に示す下向きの第３アダプター３０用意されており、これを換気装置２３の通風開口部１６に取付け、これを使用介して通風ダクト５に接続することができる。室内機１からの引き出しは同様に本体下面にあらかじめ施されたミシン目に沿って下面切抜部２９ｄを切外して開口部を作り引き出される。
【００８８】
次に通風開口部１６に直接取付ける第３アダプター３０の細部構成を図３および図６を参照して説明する。第３アダプター３０の開口部のうち、通風開口部１６に対向する開口部３０ａの形状は、コンパクトながら通風面積を確保し易い略矩形となし、他端の通風ダクト５に対向する開口部３０ｂの形状は円形となし、高さ位置は換気装置２３の通風開口部１６に対向する開口部３０ａより通風ダクト５に対向する開口部３０ｂを低く構成し、また、その下端は横長収納室１４ａ内の上方位置とし、下部に接続冷媒管２、ドレンホース４を通せるようにしてある。
【００８９】
これにより、接続冷媒管２にできるだけ近づけて共に壁孔を通す作業性を良好にするほか、通風開口部１６から最小の曲がりで通風抵抗が少なくなり、換気量を確保することができる。また、第３アダプター３０内に結露水が生じた場合も、結露水は自然流下で通風ダクト５に達し、室外に向かって先下がりに設置された通風ダクト５内を通って室外に排出でき、円形化開口部と併せ通風ダクト５との接続作業を容易にできるものである。
【００９０】
また、円形の通風ダクト５を使用できるので入手し易く取付け性も良い。また、第３アダプター３０に前記の結露水の拡散を促進する処理を施すことにより、前記の導入外気への結露水の飛出し防止や結露水のスムーズな室外排出の効果を得ることができる。一方、補助冷媒管１０ａは、図３に中に二点鎖線で示すように、配管室１１の背面から縦長収納室１４ｂを通って横長収納室１４ａに引き出され、接続冷媒管２と接続される。接続された接続冷媒管２は横長収納室１４ａを横引きして第３アダプター３０側に近づけた後、通風ダクト５と同じ方向に曲げて壁孔（図示せず）に向かう。
【００９１】
この場合、第３アダプター３０の通風ダクト５に対向する開口部３０ｂの上下方向位置は、接続冷媒管２を包囲する断熱材の太さも考慮して、これより上側に位置させてあるので、接続冷媒管２と通風ダクト５の重なりが無くなり、アダプターのコンパクト化のほか、室内機1の全体厚みの縮減にも貢献できる。第３アダプター３０の３形態はネジ固定位置３０ｃを同じにして、共用化と簡素化をはかっている。通風ダクト５との接続は円形開口部３０ｂに外側に通風ダクト５を挿入し、円形のバネバンド２８で固定される。
【００９２】
以上説明したアダプター１９、２０、３０を纏める。
【００９３】
換気ダクト１５を用いる場合。通風開口部１６と換気ダクト１５とを接続するアダプター１９は必須となる。そして、換気ダクト１５と通風ダクト５とを接続する３種類のアダプター２０（後方接続用Ｒａ、横接続用Ｒｂ、下方接続用Ｒｃ）のうちのいずれか一つを使用する。また、換気ダクト１５を用いない場合。通風開口部１６と通風ダクト５とを接続する３種類のアダプター３０（後方接続用Ｌａ、横接続用Ｌｂ、下方接続用Ｌｃ）のうちのいずれか一つを使用する。
【００９４】
以上に説明した実施例では換気ダクト１５の一つの側面と上面、下面をベース８と一体で射出成形して得られる構成について述べている。しかし、本発明は前記のように、換気ダクト１５の一つの側面と上面、下面をベース８と一体に構成するものばかりではなく、図８に示すように室内機１のベース８とは切離された別体の換気ダクト１５を室内機１のベース８に設けた係止部８ｆ、８ｇに換気ダクト１５に設けた係止片１５ｂ、１５ｃを合わせ、例えばネジ等の係止具により、換気ダクト１５を室内送風機の背面を横断する部分で外気に向かって単調な下り勾配となるよう傾斜して固定する方法を採用しても同様の効果を得ることができる。
【００９５】
この場合、横長収納室１４ａの高さは換気ダクト１５が不要となるので一体で射出成形した場合より接続ダクト１５の分、大きくなり、ベース８の底面から換気ダクト１５を取りつけた場合の換気ダクト１５の天面までの高さとなる。この場合、使用者の希望を前もって把握し、換気機能を必要とする使用者のみに限定して、換気ダクト１５を供給するようにでき、資源の有効利用がはかれる。
【００９６】
この時、壁孔が換気装置室１２側にあって補助冷媒管１０ａが横長収納室１４ａを通る場合は、換気ダクト１５は不要になり取付けないので換気ダクト１５と補助冷媒管１０ａが重なることはない。つまり、換気ダクト１５をベース８と一体で成形した時と違って、第２アダプター２０の通風ダクト５に対向する開口部２０ｂの高さを横長収納室１４ａの上方位置にとどめる必要が無い。
【００９７】
このため、換気ダクト１５の配管室１１側の高さは、第２アダプター２０の通風ダクト５に対向する開口部２０ｂの位置が補助冷媒管１０ａより下でベース８の底面より上となるように決定することができ、換気ダクト１５の傾斜をより大きくすることにより、結露水の室外への排出がよりスムーズになる。また、これまでの説明は室内機１の背面とケーシング８ｄとの距離が最も小さい部分を上下に跨ぐ形で換気ダクト１５を設置しているため、換気ダクト１５の断面を縦長の略矩形断面で説明している。
【００９８】
しかし、所要の通風断面積を確保できれば円形断面のダクトでも良く、この場合、図９に示すように円形ダクト３１を室内機１の背面とケーシング８ｄとの距離が最も小さくなる位置を避けて、通風開口部１６から一端、換気装置室１２内を下に下がり、ケーシング８ｄが室内機１の前方に突出し横長収納室１４ａの奥が深くなり、円形ダクト３１を横引きで通せるところに達した位置から円形ダクト３１の横引きを開始し、配管室１１側の所定高さまで、単調な下り勾配で室内機１の熱交換室１０部分を横断する。
【００９９】
この場合の下り勾配は、その換気装置室１２側の横断開始位置が下がるものの、前述のように、配管室１１側の位置も下がるので、結露水のスムーズな流下に充分な傾斜を保つことができる。通風開口部１６との接続は、第1アダプター１９のダクト側開口部１９ｂの外周に円形ダクト３１を挿入して、リング状のバネバンドで押さえることにより終了する。また、円形断面のダクトを使用できるので入手し易く取付性も良い。
【０１００】
この場合、円形ダクト３１はその曲げ部で潰れ易く、また、潰れないまでも長円状に変形する。長円状の変形が小さければダクトとしての機能に大きな支障はないので、円形ダクト３１の係止片１５ｄ、１５ｅは円形ダクト３１が大きく潰れないように円形断面を概略保持できるものであれば良く、また、室内機１の背面から飛び出無いように、室内機１の内部に引込むように円形ダクト３１を支持し、ベース８に設けた係止部８ｈ、８ｉに室外に向かって単調な下り勾配で係止される。
【０１０１】
このようにすることにより、円形ダクト内に結露した結露水を円形ダクト３１の下り勾配によりスムーズに室外に排出することができる。
【図面の簡単な説明】
【０１０２】
【図１】本発明の実施形態の空気調和機における室内機の化粧カバーを取り外した状態の正面図。
【図２】図１の化粧カバーを装着した状態のＡ−Ａ断面図。
【図３】図１の化粧カバーを装着した状態の背面斜視図。
【図４】図３における換気装置の通風ダクト接続部の拡大斜視図。
【図５】本発明の換気装置用風路に用いる複数の第２アダプターの外観斜視図。
【図６】本発明の換気装置用風路に用いる複数の第３アダプターの外観斜視図。
【図７】本発明の第２アダプターの共用化を説明する背面斜視図。
【図８】別体の換気ダクトをベースに設置した状態の室内機の断面図。
【図９】円形ダクトを使用した本発明の空気調和機の室内機の背面斜視図。
【符号の説明】
【０１０３】
１…室内機、２…接続冷媒管、２ａ…曲げ部、３…熱交換器、４…ドレンホース、５…通風ダクト、６…リモコン、７…化粧カバー、８…ベース、９…室内送風機、１０…熱交換室、１１…配管室、１２…換気装置室、１３…前面パネル、１４…収納室、１５…換気ダクト、１６…通風開口部、１７…背面樋、１８…換気送風機、１９…第１アダプター、２０…第２アダプター、２１…モータ、２２…露受皿、２３…換気装置、２４…吹出ダクト、２５…除菌フィルター、２６…制御装置、２７…表示装置、２８…バンド、２９…切抜部、３０…第３アダプター、３１…円形ダクト、３２…押さえ具。
【図１】
2005351555.tif 000003
【図２】
2005351555.tif 000004
【図３】
2005351555.tif 000005
【図４】
2005351555.tif 000006
【図５】
2005351555.tif 000007
【図６】
2005351555.tif 000008
【図７】
2005351555.tif 000009
【図８】
2005351555.tif 000010
【図９】
2005351555.tif 000011